(57)【特許請求の範囲】
【請求項１】
ネットワークを介して他の情報処理装置に接続される、再生許可状態または再生禁止状態を示す再生制限フラグが組み込まれたコンテンツを再生する情報処理装置において、
前記再生制限フラグが前記再生許可状態のとき、前記コンテンツを再生し、前記再生制限フラグが前記再生禁止状態のとき、前記コンテンツを再生しない再生手段と、
前記コンテンツの移動先を示す移動情報に基づいて、前記他の情報処理装置が前記コンテンツを保持しているか否かを判定する判定手段と、
前記他の情報処理装置が、前記コンテンツを保持していないと判定された場合、前記コンテンツを前記他の情報処理装置に送信するとともに、前記他の情報処理装置が、前記コンテンツを保持していると判定された場合、それに組み込まれている前記再生制限フラグを書き換える再生制限フラグ書換信号を、前記他の情報処理装置に送信する送信手段と、
前記他の情報処理装置から送信されてきた再生制限フラグ書換信号を受信する受信手段と、
前記送信手段により、前記コンテンツ若しくは前記再生制限フラグ書換信号が前記他の情報処理装置に送信されたとき、または、前記受信手段により前記再生制限フラグ書換信号が受信されたとき、前記再生制限フラグの状態を変更する変更手段と
を備えることを特徴とする情報処理装置。
【請求項２】
前記再生制限フラグは、複数からなり、
前記変更手段は、複数の前記再生制限フラグの状態を変更する
ことを特徴とする請求項１に記載の情報処理装置。
【請求項３】
前記再生制限フラグ書換信号は、前記コンテンツを識別する識別情報を含む
ことを特徴とする請求項１に記載の情報処理装置。
【請求項４】
前記送信手段により前記コンテンツ、または前記再生制限フラグ書換信号が送信されるのに先立ち、前記他の情報処理装置を認証する認証手段
をさらに備えることを特徴とする請求項１に記載の情報処理装置。
【請求項５】
前記変更手段は、前記送信手段により前記コンテンツが前記他の情報処理装置に送信された後、所定の時間経過後、前記再生制限フラグの状態を変更する
ことを特徴とする請求項１に記載の情報処理装置。
【請求項６】
ネットワークを介して他の情報処理装置に接続される、再生許可状態または再生禁止状態を示す再生制限フラグが組み込まれたコンテンツを再生する情報処理装置の情報処理方法において、
前記再生制限フラグが前記再生許可状態のとき、前記コンテンツを再生し、前記再生制限フラグが前記再生禁止状態のとき、前記コンテンツを再生しない再生ステップと、
前記コンテンツの移動先を示す移動情報に基づいて、前記他の情報処理装置が前記コンテンツを保持しているか否かを判定する判定ステップと、
前記他の情報処理装置が、前記コンテンツを保持していないと判定された場合、前記コンテンツを前記他の情報処理装置に送信するとともに、前記他の情報処理装置が、前記コンテンツを保持していると判定された場合、それに組み込まれている前記再生制限フラグを書き換える再生制限フラグ書換信号を、前記他の情報処理装置に送信する送信ステップと、
前記他の情報処理装置から送信されてきた再生制限フラグ書換信号を受信する受信ステップと、
前記送信ステップの処理で、前記コンテンツ若しくは前記再生制限フラグ書換信号が前記他の情報処理装置に送信されたとき、または、前記受信ステップの処理で前記再生制限フラグ書換信号が受信されたとき、前記再生制限フラグの状態を変更する変更ステップと
を含むことを特徴とする情報処理方法。
【請求項７】
再生許可状態または再生禁止状態を示す再生制限フラグが組み込まれたコンテンツを再生する情報処理装置の情報処理用のプログラムであって、
前記再生制限フラグが前記再生許可状態のとき、前記コンテンツを再生し、前記再生制限フラグが前記再生禁止状態のとき、前記コンテンツを再生しない再生ステップと、
前記コンテンツの移動先を示す移動情報に基づいて、他の情報処理装置が前記コンテンツを保持しているか否かを判定する判定ステップと、
前記他の情報処理装置が、前記コンテンツを保持していないと判定された場合、前記コンテンツを前記他の情報処理装置に出力するとともに、前記他の情報処理装置が、前記コンテンツを保持していると判定された場合、それに組み込まれている前記再生制限フラグを書き換える再生制限フラグ書換信号を、前記他の情報処理装置に出力する出力ステップと、
前記他の情報処理装置から出力されてきた再生制限フラグ書換信号を入力する入力ステップと、
前記出力ステップの処理で、前記コンテンツ若しくは前記再生制限フラグ書換信号が前記他の情報処理装置に出力されたとき、または、前記入力ステップの処理で前記再生制限フラグ書換信号が入力されたとき、前記再生制限フラグの状態を変更する変更ステップと
を含むことを特徴とするコンピュータが読み取り可能なプログラムが記録されている記録媒体。
【発明の詳細な説明】
【０００１】
【発明の属する技術分野】
本発明は、情報処理装置および方法、並びに記録媒体に関し、特に、記録媒体に記録される情報の移動を迅速にすることができるようにした情報処理装置および方法、並びに記録媒体に関する。
【０００２】
【従来の技術】
例えば、CD(compact disc)、MD(mini disc)、およびDV(digital video)などの記録媒体に記録されている、著作権の保護を必要とするデータなど、それ自体に価値がある楽曲のデジタルデータ（以下、コンテンツと称する）の複製は、SCMS(serial copy management system）およびCGMS（copy generation management system)により制限されている。例えば、第１世代のみの複製が可能とされたり、複製自体ができないようになされている。当然、複製が自由に行えるようになされている場合もある。
【０００３】
ところで、複製を、複製元の装置（例えば、正規に購入された、コンテンツ（オリジナル）を保持している装置）と複製先の装置（複製元の装置が保持しているオリジナルから複製されたコンテンツを保持する装置）の両方において、そのコンテンツの再生が可能となる利用方法とすれば、いずれか一方の装置においてのみ、コンテンツの再生が可能となる、移動と称する利用方法が存在する。
【０００４】
この移動は、通常、移動元の装置に保持されている、例えば、購入されたオリジナルが、移動元の装置に移動され（送信され）、またその移動が解除されるとき、移動されたオリジナルが移動先の装置から移動元の装置に戻される（送信される）。
【０００５】
【発明が解決しようとする課題】
このように、コンテンツが移動またはその移動が解除される場合、その処理毎に、コンテンツが装置間で授受されるので、例えば、コンテンツ自体を送信するのに時間がかかり、移動（または移動が解除）が迅速に行われない課題があった。
【０００６】
本発明はこのような状況に鑑みてなされたものであり、移動またはその解除を、迅速に行うことができるようにするものである。
【０００７】
【課題を解決するための手段】
請求項１に記載の情報処理装置は、再生制限フラグが再生許可状態のとき、コンテンツを再生し、再生制限フラグが再生禁止状態のとき、コンテンツを再生しない再生手段と、コンテンツの移動先を示す移動情報に基づいて、他の情報処理装置がコンテンツを保持しているか否かを判定する判定手段と、他の情報処理装置が、コンテンツを保持していないと判定された場合、コンテンツを他の情報処理装置に送信するとともに、他の情報処理装置が、コンテンツを保持していると判定された場合、それに組み込まれている再生制限フラグを書き換える再生制限フラグ書換信号を、他の情報処理装置に送信する送信手段と、他の情報処理装置から送信されてきた再生制限フラグ書換信号を受信する受信手段と、送信手段により、コンテンツ若しくは再生制限フラグ書換信号が他の情報処理装置に送信されたとき、または、受信手段により再生制限フラグ書換信号が受信されたとき、再生制限フラグの状態を変更する変更手段とを備えることを特徴とする。
【０００８】
再生制限フラグは、複数からなり、変更手段は、複数の再生制限フラグの状態を変更する。
再生制限フラグ書換信号には、コンテンツを識別する識別情報を含ませることができる。
【０００９】
送信手段によりコンテンツ、または再生制限フラグ書換信号が送信されるのに先立ち、他の情報処理装置を認証する認証手段をさらに備えることができる。
【００１０】
変更手段は、送信手段によりコンテンツが他の情報処理装置に送信された後、所定の時間経過後、再生制限フラグの状態を変更することができる。
【００１１】
請求項６に記載の情報処理方法は、再生制限フラグが再生許可状態のとき、コンテンツを再生し、再生制限フラグが再生禁止状態のとき、コンテンツを再生しない再生ステップと、コンテンツの移動先を示す移動情報に基づいて、他の情報処理装置がコンテンツを保持しているか否かを判定する判定ステップと、他の情報処理装置が、コンテンツを保持していないと判定された場合、コンテンツを他の情報処理装置に送信するとともに、他の情報処理装置が、コンテンツを保持していると判定された場合、それに組み込まれている再生制限フラグを書き換える再生制限フラグ書換信号を、他の情報処理装置に送信する送信ステップと、他の情報処理装置から送信されてきた再生制限フラグ書換信号を受信する受信ステップと、送信ステップの処理で、コンテンツ若しくは再生制限フラグ書換信号が他の情報処理装置に送信されたとき、または、受信ステップの処理で再生制限フラグ書換信号が受信されたとき、再生制限フラグの状態を変更する変更ステップとを含むことを特徴とする。
【００１２】
請求項７に記載の記録媒体は、再生制限フラグが再生許可状態のとき、コンテンツを再生し、再生制限フラグが再生禁止状態のとき、コンテンツを再生しない再生ステップと、コンテンツの移動先を示す移動情報に基づいて、他の情報処理装置がコンテンツを保持しているか否かを判定する判定ステップと、他の情報処理装置が、コンテンツを保持していないと判定された場合、コンテンツを他の情報処理装置に出力するとともに、他の情報処理装置が、コンテンツを保持していると判定された場合、それに組み込まれている再生制限フラグを書き換える再生制限フラグ書換信号を、他の情報処理装置に出力する出力ステップと、他の情報処理装置から出力されてきた再生制限フラグ書換信号を入力する入力ステップと、出力ステップの処理で、コンテンツ若しくは再生制限フラグ書換信号が他の情報処理装置に出力されたとき、または、入力ステップの処理で再生制限フラグ書換信号が入力されたとき、再生制限フラグの状態を変更する変更ステップとを含むことを特徴とする。
【００１３】
請求項１に記載の情報処理装置、請求項６に記載の情報処理方法、および請求項７に記載の記録媒体においては、再生制限フラグが再生許可状態のとき、コンテンツが再生され、コンテンツの移動先を示す移動情報に基づいて、他の情報処理装置がコンテンツを保持しているか否かが判定され、再生制限フラグが再生禁止状態のとき、コンテンツが再生されず、情報処理装置が、コンテンツを保持していないと判定された場合、コンテンツが情報処理装置に出力されるとともに、情報処理装置が、コンテンツを保持していると判定された場合、それに組み込まれている再生制限フラグを書き換える再生制限フラグ書換信号が、情報処理装置に出力され、情報処理装置から出力されてきた再生制限フラグ書換信号が入力され、コンテンツ若しくは再生制限フラグ書換信号が情報処理装置に出力されたとき、または、再生制限フラグ書換信号が入力されたとき、再生制限フラグの状態が変更される。
【００１４】
【発明の実施の形態】
図１は、本発明を適用した記録再生装置１０１および記録再生装置１０４の利用例を示している。記録媒体１０２および記録媒体１０５は、データの記録および再生が可能な記録媒体で、これらには、コンテンツが記録されている。なお、このコンテンツは、楽曲そのものの表すデータ、および再生制限フラグ（後述）を含む制御データが多重化されて構成されている。
【００１５】
記録再生装置１０１および記録再生装置１０４は、それぞれ装着される記録媒体１０２および記録媒体１０５に記録されているコンテンツを再生する。記録再生装置１０１および記録再生装置１０４はまた、デジタルバス１０３を介してコンテンツの移動を行い、例えば、記録再生装置１０１は、記録媒体１０２に記録されているコンテンツＡを、記録再生装置１０４に供給し、記録再生装置１０４は、それを記録媒体１０５に記録する。この場合、記録再生装置１０１におけるコンテンツＡの再生が禁止される（コンテンツＡの再生ができなくなる）代わりに、記録再生装置１０４におけるコンテンツＡの再生が許可される（コンテンツＡの再生が可能となる）。
【００１６】
図２は、記録再生装置１０１の構成例を示している。接続部２０１は、デジタルバス１０３に接続されており、記録再生装置１０４から送信されてくる、スクランブル処理が施されたコンテンツを受信し、デスクランブル処理部２０２に出力したり、記録再生装置１０４から送信されてくる再生制限フラグ書換信号（後述）を受信し、制御部２０９に出力する。接続部２０１はまた、スクランブル処理部２０８から入力される、スクランブル処理が施されたコンテンツを、デジタルバス１０３に出力したり、デスクランブル処理部２０２に出力する（戻す）。接続部２０１は、さらに、再生制限フラグ書換信号をデジタルバス１０３に出力する。
【００１７】
デスクランブル処理部２０２は、接続部２０１から入力されたコンテンツのスクランブルを解除し、クリアなコンテンツに戻した後、デマルチプレクサ２０３およびマルチプレクサ２０５に出力する。デマルチプレクサ２０３は、デスクランブル処理部２０２から入力されるコンテンツから、制御データを分離し、再生制限フラグ書換部２０４に出力する。
【００１８】
再生制限フラグ書換部２０４は、デマルチプレクサ２０３から入力された制御データに含まれる再生制限フラグを、再生が禁止されていることを示す状態（以下、再生禁止状態と称する）に設定したり、または再生が許可されていることを示す状態（以下、再生許可状態）に設定して、マルチプレクサ２０５に出力する。
【００１９】
マルチプレクサ２０５は、デスクランブル処理部２０２から入力されたコンテンツと、再生制限フラグ書換部２０４から入力された制御データを多重化する。すなわち、マルチプレクサ２０５は、デスクランブル処理部２０２からのコンテンツの制御データを、再生制限フラグ書換部２０４からの制御データに付け替える。マルチプレクサ２０５は、制御データを付け替えたコンテンツを、記録処理部２０６に出力する。
【００２０】
記録処理部２０６は、マルチプレクサ２０５から入力されるコンテンツに対して、所定の符号化処理および符号化訂正処理等（以下、これらをまとめて、記録処理と称する）を施し、記録再生ドライブ２０７に出力する。
【００２１】
記録再生ドライブ２０７は、記録処理部２０６から入力される、記録処理が施されたコンテンツを、記録媒体１０２に記録する。記録再生ドライブ２０７はまた、記録媒体１０２よりコンテンツを読み出し、スクランブル処理部２０８に出力したり、外部の装置（例えば、ヘッドフォン）に出力する。スクランブル処理部２０８は、記録再生ドライブ２０７から入力されるコンテンツに対して、スクランブル処理を施し、接続部２０１に出力する。
【００２２】
制御部２０９は、接続部２０１、再生制限フラグ書換部２０４、記録処理部２０６、および記録再生ドライブ２０７を制御し、所定の装置（この例の場合、記録再生装置１０４）の認証、コンテンツの移動、またはコンテンツの再生等の処理を行う。記憶部２１０は、制御部２０９が、コンテンツの移動を行う上で必要な情報（以下、移動情報と称する）を記憶する。
【００２３】
図３は、記録再生装置１０４の構成例を示している。記録再生装置１０４の接続部３０１乃至記憶部３１０は、記録再生装置１０１の接続部２０１乃至記憶部２１０と同様の機能を有するので、その説明は省略する。
【００２４】
次に、記録媒体１０２に記録されているコンテンツＡが、記録再生装置１０１から記録再生装置１０４に、はじめて移動される場合の処理を、図４および図５を参照して説明する。図４は、この処理を実行する場合の記録再生装置１０１の処理手順を示すフローチャートであり、図５は、この処理を実行する場合の記録再生装置１０４の処理手順を示すフローチャートである。
【００２５】
はじめに、記録再生装置１０１の処理手順を、図４のフローチャートを参照して説明する。ユーザによる操作部（図示せぬ）に対する所定の操作により、記録媒体１０２に記録されているコンテンツＡを記録再生装置１０４に移動させる指令が入力されると、ステップＳ１１において、記録再生装置１０１の制御部２０９は、接続部２０１を制御し、記録再生装置１０４を認証する処理を行い、記録再生装置１０４が、コンテンツＡの移動先として適当な装置であるか否かを判定する。ステップＳ１１において、記録再生装置１０４がコンテンツＡの移動先として適当な装置であると判定された場合、ステップＳ１２に進み、制御部２０９は、コンテンツＡを記録媒体１０２から読み出す処理を開始する。これにより、記録再生ドライブ２０７は、コンテンツＡを、記録媒体１０２より読み出し、スクランブル処理部２０８に出力する。
【００２６】
次に、ステップＳ１３において、制御部２０９は、コンテンツＡの制御データに含まれる再生制限フラグの状態を確認する。具体的には、ステップＳ１２で、記録再生ドライブ２０７により読み出されたコンテンツＡは、スクランブル処理部２０８においてスクランブルが施され、接続部２０１を介して、デスクランブル処理部２０２に入力される。デスクランブル処理部２０２は、入力されたコンテンツＡのスクランブルを解除した後、デマルチプレクサ２０３およびマルチプレクサ２０５に出力する。デマルチプレクサ２０３は、入力されたコンテンツＡから制御データを分離し、再生制限フラグ書換部２０４に出力する。制御部２０９は、再生制限フラグ書換部２０４を制御し、再生制限フラグ書換部２０４に入力された制御データに含まれる再生制限フラグの状態を確認する。
【００２７】
次に、ステップＳ１４において、制御部２０９は、ステップＳ１３での確認結果に基づいて、移動されるコンテンツＡの再生が可能であるか否かを判定する。具体的には、制御部２０９は、ステップＳ１３で、再生制限フラグが再生許可状態であると確認した場合、そのコンテンツの再生が可能であると判定する。また、制御部２０９は、再生制限フラグが再生禁止状態であると確認した場合、コンテンツの再生が禁止されていると判定する。コンテンツの再生が可能であると判定された場合、ステップＳ１５に進む。
【００２８】
ステップＳ１５において、制御部２０９は、記憶部２１０に、コンテンツＡが記録再生装置１０４に保持されていることを示す移動情報が記憶されているか否かを判定し、そのような移動情報が記憶されていないと判定した場合、すなわち、コンテンツＡが記録再生装置１０４に保持されていない場合、ステップＳ１６に進む。この例の場合、コンテンツＡは、はじめて記録再生装置１０４に移動されるので、記憶部２１０には、このような移動情報が記憶されておらず、ステップＳ１６に進む。
【００２９】
ステップＳ１６において、制御部２０９は、接続部２０１を制御し、スクランブル処理部２０８から接続部２０１に入力されるコンテンツＡ（ステップＳ１２で読み出しが開始されたコンテンツＡ）を、記録再生装置１０４に送信させる。
【００３０】
次に、ステップＳ１７において、制御部２０９は、コンテンツＡの再生制限フラグを、再生禁止状態に設定（変更）する処理を開始する。これにより、再生制限フラグ書換部２０４は、デマルチプレクサ２０３から入力された制御データ（ステップＳ１３の処理でデマルチプレクサ２０３から入力された制御データ）に含まれる再生制限フラグを、再生禁止状態に変更し、マルチプレクサ２０５に出力する。マルチプレクサ２０５は、再生制限フラグ書換部２０４からの、再生禁止状態の再生制限フラグを、デスクランブル２０２から入力されるコンテンツＡに多重化し、記録処理部２０６に出力する。記録処理部２０６は、マルチプレクサ２０５から入力されたコンテンツＡに記録処理を施し、記録再生ドライブ２０７に出力し、記録再生ドライブ２０７は、記録処理部２０６から入力されたコンテンツＡを記録媒体１０２に記録する。すなわち、記録媒体１０２には、再生禁止状態の再生制限フラグが含まれる制御データが多重化されたコンテンツＡが記録される。
【００３１】
ステップＳ１８において、制御部２０９は、コンテンツＡが記録再生装置１０４に保持されていることを示す移動情報を記憶部２１０に記憶させる。その後、処理は終了する。
【００３２】
ステップＳ１５において、コンテンツＡが記録再生装置１０４に保持されていると判定された場合、すなわち、つまり、コンテンツＡの記録再生装置１０４への移動がはじめてではない場合（ステップＳ１１乃至ステップＳ１８の処理が実行され、記憶部２１０に、コンテンツＡが記録再生装置１０４に保持されていることを示す移動情報が記憶されている場合）、ステップＳ１９に進む。ステップＳ１９において、コンテンツＡを識別するデータ（以下、識別データと称する）が付加された再生制限フラグ書換信号が記録再生装置１０４に送信されるが、その処理の詳細については、後述する。
【００３３】
ステップＳ１１において、記録再生装置１０４が移動先として適当な装置ではないと判定された場合、またステップＳ１４において、コンテンツの再生が禁止されていると判定された場合、処理は終了する。すなわち、この場合、コンテンツＡおよび再生制限フラグ書換信号のいずれも、記録再生装置１０４に送信されない。
【００３４】
次に、ステップＳ１６の処理で、記録再生装置１０１から、コンテンツＡが送信された場合の記録再生装置１０４の処理手順を、図５のフローチャートを参照して説明する。
【００３５】
ステップＳ３１において、制御部３０９は、接続部３０１を制御し、記録再生装置１０１からの信号を受信させる。ステップＳ３２において、制御部３０９は、接続部３０１により受信された信号が、コンテンツであるか、または再生制限フラグ書換信号（図４のステップＳ１９の処理で送信される）であるかを判定し、受信された信号がコンテンツであると判定した場合、ステップＳ３３に進む。この例の場合、接続部３０１は、コンテンツＡを受信するので、ステップＳ３３に進む。
【００３６】
ステップＳ３３において、制御部３０９は、ステップＳ３１で受信されたコンテンツＡを記録する処理を開始する。これにより、接続部３０１は、受信したコンテンツＡを、デスクランブル処理部３０２に出力し、デスクランブル処理部３０２は、接続部３０１から入力されたコンテンツＡのスクランブルを解除し、クリアなコンテンツＡに戻した後、デマルチプレクサ３０３およびマルチプレクサ３０５に出力する。デマルチプレクサ３０３は、デスクランブル処理部３０２から入力されたコンテンツＡから、制御データを分離し、再生制限フラグ書換部３０４に出力する。
【００３７】
再生制限フラグ書換部３０４は、デマルチプレクサ３０３から入力された制御データに含まれる再生制限フラグを、そのままの状態（再生許可状態のままで）、マルチプレクサ３０５に出力する。マルチプレクサ３０５は、デスクランブル処理部３０２から入力されたコンテンツＡと、再生制限フラグ書換部３０４から入力された制御データを多重化し、記録処理部３０６に出力する。記録処理部３０６は、マルチプレクサ３０５から入力されたコンテンツＡに対して、記録処理を施し、記録再生ドライブ３０７に出力する。記録再生ドライブ３０７は、記録処理部３０６から入力されたコンテンツＡを、記録媒体１０５に記録する。このようにして、再生許可状態の再生制限フラグを含む制御データが多重化されたコンテンツＡが、記録媒体１０５に記録される。
【００３８】
その後、処理は終了する。
【００３９】
ステップＳ３２において、受信された信号が、再生制限フラグ書換信号であると判定された場合、ステップＳ３４に進み、再生制限フラグの変更処理が実行されるが、この処理については、図４のステップＳ１９の処理と対応させて、後述する。
【００４０】
以上のようにして、コンテンツＡが、記録再生装置１０１から記録再生装置１０４に移動されるが、記録媒体１０２に記録されているコンテンツＡには、再生禁止状態の再生制限フラグを含む制御データが多重化されているので、記録再生装置１０１において、コンテンツＡの再生は禁止される（再生されない）。一方、記録媒体１０５に記録されたコンテンツＡには、再生許可状態の再生制限フラグを含む制御データが多重化されているので、記録再生装置１０４において、コンテンツＡの再生は許可される（可能となる）。次に、図６のフローチャートを参照して、コンテンツＡの再生処理を、記録再生装置１０４の場合を例として説明する。
【００４１】
ユーザによる操作部に対する所定の操作により、コンテンツＡの再生が指令されると、ステップＳ５１において、制御部３０９は、記録媒体１０５に記録されたコンテンツＡの読み出しを開始する。これにより、記録再生ドライブ３０７は、記録媒体１０５よりコンテンツＡを読み出し、スクランブル処理部３０８に出力する。
【００４２】
ステップＳ５２において、制御部３０９は、コンテンツＡに多重化されている制御データに含まれる再生制限フラグの状態を確認する。具体的な処理は、図４のステップＳ１３の処理と同様であるので、その説明は省略する。
【００４３】
ステップＳ５３において、制御部３０９は、ステップＳ５２での確認結果に基づいて、コンテンツＡの再生が可能であるか否かを判定し、再生が可能であると判定した場合、すなわち、再生制限フラグが再生許可状態である場合、ステップＳ５４に進む。
【００４４】
ステップＳ５４において、制御部３０９は、記録再生ドライブ３０７を制御し、読み出させたコンテンツＡを、外部の装置（例えば、ヘッドフォン）に出力させる。このようにしてコンテンツＡは、再生される。
【００４５】
ステップＳ５３において、コンテンツＡの再生が可能でない（禁止されている）と判定された場合、すなわち、再生制限フラグが再生禁止状態である場合、処理は終了し、コンテンツＡは、外部の装置に出力されず、再生されない。このようにして、コンテンツＡが再生されるので、上述したように、記録再生装置１０１において、コンテンツＡの再生が行われず、記録再生装置１０４において、コンテンツＡの再生が可能となる。
【００４６】
次に、記録再生装置１０４に移動されたコンテンツＡを記録再生装置１０１に戻す（移動を解除する）場合の処理手順を、図７および図８を参照して説明する。図７は、この処理を実行する場合の記録再生装置１０１の処理手順を示すフローチャートであり、図８は、この処理を実行する場合の記録再生装置１０４の処理手順を示すフローチャートである。
【００４７】
はじめに、図７のフローチャートを参照して、記録再生装置１０１の処理手順を説明する。ユーザによる操作部に対する所定の操作により、コンテンツＡを戻す（コンテンツＡの移動を解除する）指令が入力されると、ステップＳ６１において、制御部２０９は、記憶部２１０に記憶されている移動情報を参照し、コンテンツＡの移動先を検出する。この例の場合、記録再生装置１０４が検出される。
【００４８】
次に、ステップＳ６２において、制御部２０９は、接続部２０１を制御し、記録再生装置１０４に、コンテンツＡの識別データが付加された再生制限フラグ書換信号を送信させる。
【００４９】
ステップＳ６３において、制御部２０９は、コンテンツＡの再生制限フラグ（ステップＳ１７の処理により、再生制限フラグは、再生禁止状態に設定されている再生制限フラグ）を、再生許可状態に設定（変更）し、記録する処理を開始する。これにより、記録再生ドライブ２０７は、コンテンツＡを、記録媒体１０２より読み出し、スクランブル処理部２０８に出力する。スクランブル処理部２０８は、入力されたコンテンツＡにスクランブル処理を施し、接続部２０１を介して、デスクランブル処理部２０２に出力する。デスクランブル処理部２０２は、入力されたコンテンツＡのスクランブルを解除した後、デマルチプレクサ２０３およびマルチプレクサ２０５に出力する。デマルチプレクサ２０３は、入力されたコンテンツＡから制御データを分離し、再生制限フラグ書換部２０４に出力する。再生制限フラグ書換部２０４は、デマルチプレクサ２０３から入力された制御データに含まれる再生制限フラグを、再生許可状態に変更し、マルチプレクサ２０５に出力する。マルチプレクサ２０５は、再生制限フラグ書換部２０４からの、再生許可状態の再生制限フラグを、デスクランブル処理部２０２から入力されるコンテンツＡに多重化し、記録処理部２０６に出力する。記録処理部２０６は、マルチプレクサ２０５から入力されたコンテンツＡに記録処理を施し、記録再生ドライブ２０７に出力し、記録再生ドライブ２０７は、そのコンテンツＡを記録媒体１０２に記録する。これにより、記録媒体１０２には、再生許可状態の再生制限フラグが含まれる制御データが多重化されたコンテンツＡが記録される。
【００５０】
その後、処理は終了する。
【００５１】
次に、記録再生装置１０４の処理手順を、図８のフローチャートを参照して説明する。図７のステップＳ６２の処理により、再生制限フラグ書換信号が送信されると、ステップＳ７１において、制御部３０９は、接続部３０１を制御し、それを受信させる。
【００５２】
ステップＳ７２において、制御部３０９は、再生制限フラグ書換信号に付加されている識別データにより識別されるコンテンツがコンテンツＡであることを検出すると、ステップＳ７３において、コンテンツＡの再生制限フラグを、再生禁止状態に変更する処理を開始する。ここでの具体的な処理は、図７のステップＳ６３の場合と基本的に同様であるので、その詳細な説明は省略するが、再生制限フラグ書換部３０４は、デマルチプレクサ３０３から入力された制御データに含まれる再生制限フラグを、再生禁止状態を変更し、マルチプレクサ３０５に出力する。これにより、再生禁止状態の再生制限フラグを含む制御データが多重化されたコンテンツＡが記録媒体１０５に記録される。
【００５３】
以上のように、記録再生装置１０１において、再生制限フラグ書換信号が送信され、かつ、再生許可状態の再生制限フラグを含む制御データが多重化されたコンテンツＡが記録媒体１０２に記録され、そして記録再生装置１０４において、再生禁止状態の再生制限フラグを含む制御データが多重化されたコンテンツＡが記録媒体１０５に記録されるようにしたので、今度は、記録再生装置１０１においてコンテンツＡの再生が可能となり、記録再生装置１０４においてコンテンツＡの再生が禁止される。すなわち、コンテンツＡ自体が授受されずに、コンテンツＡの移動が解除される。
【００５４】
次に、この状態において（コンテンツＡの移動が解除されているが、コンテンツＡが記録再生装置１０４に保持されている状態において）、再度、コンテンツＡを記録再生装置１０４に移動する場合の記録再生装置１０１の処理手順を、図４のフローチャートを再び参照して説明する。
【００５５】
ステップＳ１１乃至ステップＳ１４における処理は、すでに上述してあるので、その詳細な説明は省略するが、ステップＳ１４において、コンテンツＡの再生が可能であると判定された場合、すなわち、再生制限フラグが再生許可状態である場合、ステップＳ１５に進み、コンテンツＡが記録再生装置１０４に保持されているか否かが判定され、保持されていると判定された場合、ステップＳ１９に進む。この例の場合、コンテンツＡは記録再生装置１０４に保持されているので、ステップＳ１９に進む。
【００５６】
ステップＳ１９において、制御部２０９は、接続部２０１を制御し、コンテンツＡを識別する識別データが付加された再生制限フラグ書換信号を、記録再生装置１０４に送信させる。
【００５７】
次に、ステップＳ１７において、制御部２０９は、記録媒体１０２に記録されているコンテンツＡの再生制限フラグを、再生禁止状態に変更する処理を開始する。これにより、再生禁止状態の再生制限フラグを含む制御データが多重化されたコンテンツＡが記録媒体１０２に記録され、記録再生装置１０１において、コンテンツＡの再生が禁止される。
【００５８】
ステップＳ１８において、コンテンツＡが記録再生装置１０４が保持されている移動情報を記憶部２１０に記憶させる。
【００５９】
次に、ステップＳ１９の処理で、記録再生装置１０１から、再生制限フラグ書換信号が送信された場合の記録再生装置１０４の処理手順を、図５のフローチャートを再度参照して説明する。
【００６０】
ステップＳ３１，３２の処理は、すでに上述してあるので、その詳細は省略するが、ステップＳ３２において、再生制限フラグ書換信号が受信されたと判定され、ステップＳ３４に進む。
【００６１】
ステップＳ３４において、制御部３０９は、再生制限フラグを、再生許可状態に変更する処理を開始する。ここでの具体的な処理は、図７のステップＳ６３の場合と基本的に同様であるので、その詳細な説明は省略するが、再生制限フラグ書換部３０４は、デマルチプレクサ３０３から入力された制御データに含まれる再生制限フラグを、再生許可状態に変更し、マルチプレクサ３０５に出力する。これにより、再生許可状態の再生制限フラグを含む制御データが多重化されたコンテンツＡが記録媒体１０５に記録される。
【００６２】
その後、処理は終了し、記録再生装置１０４におけるコンテンツＡの再生が可能となる。
【００６３】
このようにして、コンテンツＡの移動先である記録再生装置１０４がすでにコンテンツＡを保持している場合、再生制限フラグ書換信号のみが記録再生装置１０４に送信されるようにして、コンテンツＡの移動が行われるので、コンテンツＡ自体が送信されずに、コンテンツＡの移動が、容易に、かつ、迅速に行われる。
【００６４】
なお、図４のステップＳ１６とステップＳ１７の間に、記録再生装置１０１の制御部２０９が、所定の時間Ｔ待機する処理を設け、コンテンツが記録再生装置１０４に送信された後、時間Ｔ経過後、再生制限フラグが再生禁止状態に設定されるようにすることより、その時間Ｔの間において、コンテンツＡの再生が、記録再生装置１０１および記録再生装置１０４の両方において可能となるようにすることもできる。
【００６５】
また、再生制限フラグの数を多くし、その状態を変更することにより、再生の許可または禁止をより確実に管理することができる。なお、再生制限フラグの数を多くし、その状態を変更する場合、例えば、コンテンツを記録する処理に時間がかかることが想定されるため、その処理時間等を考慮して、再生制限フラグの状態の変更を行うようにする。
【００６６】
上述した一連の処理は、ハードウエアにより実行させることもできるが、ソフトウエアにより実行させることもできる。一連の処理をソフトウエアにより実行する記録再生装置について説明する。
【００６７】
図９の記録再生装置５０１は、例えばコンピュータで構成される。CPU（Central Processing Unit）５１１にはバス５１５を介して入出力インタフェース５１６が接続されており、CPU５１１は、入出力インタフェース５１６を介して、ユーザから、キーボード、マウスなどよりなる入力部５１８から指令が入力されると、例えば、ROM（Read Only Memory）５１２、ハードディスク５１４、またはドライブ５２０に装着される磁気ディスク５３１、光ディスク５３２、光磁気ディスク５３３、若しくは半導体メモリ５３４などの記録媒体に格納されているプログラムを、RAM（Random Access Memory）５１３にロードして実行する。さらに、CPU５１１は、その処理結果を、例えば、入出力インタフェース５１６を介して、LCD（Liquid Crystal Display）などよりなる表示部５１７に必要に応じて出力する。なお、プログラムは、ハードディスク５１４やROM５１２に予め記憶しておき、記録再生装置５０１と一体的にユーザに提供したり、磁気ディスク５３１、光ディスク５３２、光磁気ディスク５３３，半導体メモリ５３４等のパッケージメディアとして提供したり、衛星、ネットワーク等から通信部５１９を介してハードディスク５１４に提供することができる。
【００６８】
なお、本明細書において、システムの用語は、複数の装置、手段などより構成される全体的な装置を意味するものとする。
【００６９】
また、本明細書において、媒体により提供されるプログラムを記述するステップは、記載された順序に沿って時系列的に行われる処理はもちろん、必ずしも時系列的に処理されなくとも、並列的あるいは個別に実行される処理をも含むものである。
【００７０】
【発明の効果】
請求項１に記載の情報処理装置、請求項６に記載の情報処理方法、および請求項７に記載の記録媒体によれば、コンテンツが保持されていると判定された場合、再生制限フラグ書換信号のみを、出力するようにしたので、移動ごとにコンテンツが授受されず、迅速に移動の処理を行うことができる。
【図面の簡単な説明】
【図１】本発明を適用した記録再生装置１０１および記録再生装置１０４の利用例を示す図である。
【図２】図１の記録再生装置１０１の構成例を示す図である。
【図３】図１の記録再生装置１０４の構成例を示す図である。
【図４】記録再生装置１０１のコンテンツ移動処理を説明するフローチャートである。
【図５】記録再生装置１０４のコンテンツ移動処理を説明するフローチャートである。
【図６】再生処理を説明するフローチャートである。
【図７】記録再生装置１０１の移動解除処理を説明するフローチャートである。
【図８】記録再生装置１０４の移動解除処理を説明するフローチャートである。
【図９】記録再生装置５０１を説明する図である。
【符号の説明】
１０１  記録再生装置，  １０２  記録媒体，  １０３  デジタルバス，  １０４  記録再生装置，  １０５  記録媒体，  ２０１  接続部，  ２０２  デスクランブル処理部，  ２０３  デマルチプレクサ，  ２０４  再生制限フラグ書換部，  ２０５  マルチプレクサ，  ２０６  記録処理部，  ２０７  記録再生ドライブ，  ２０８  スクランブル処理部，  ２０９  制御部，  ２１０  記憶部，  ３０１  接続部，  ３０２  デスクランブル処理部，  ３０３  デマルチプレクサ，  ３０４  再生制限フラグ書換部，  ３０５  マルチプレクサ，  ３０６  記録処理部，  ３０７  記録再生ドライブ，  ３０８  スクランブル処理部，  ３０９  制御部，  ３１０  記憶部
【図１】
0004329181.tif 000002
【図２】
0004329181.tif 000003
【図３】
0004329181.tif 000004
【図４】
0004329181.tif 000005
【図５】
0004329181.tif 000006
【図６】
0004329181.tif 000007
【図７】
0004329181.tif 000008
【図８】
0004329181.tif 000009
【図９】
0004329181.tif 000010